(57)【要約】【課題】暗所に配置した蓄電池の電解液に照明光を照射した時における電解液の液位の視認性を向上させる。【解決手段】収容した電解液２４の液位（液面２４ａの高さ）を正面、及び側面から夫々視認可能な容器２１を備えた蓄電池２０が暗所に配置されているために液位を視認できない場合に、電解液２４に照明光を照射することにより液位を視認する際に用いる視認補助具１０であって、容器２４の側面（側壁２１ａの外表面）に沿って配置され、蓄電池２０における上限液位と下限液位とを含む高さ範囲に位置付けられる光反射部１１と、光反射部１１に設けられて蓄電池２０の上面（蓋部材２２の上面２２ａ）に掛止する掛止部１２と、を備えたことを特徴とする。【選択図】図３
2020080206.tif 000002
【特許請求の範囲】
【請求項１】
収容した電解液の液位を正面、及び側面から夫々視認可能な容器を備えた蓄電池が暗所に配置されているために前記液位を視認できない場合に、前記電解液に照明光を照射することにより前記液位を視認する際に用いる視認補助具であって、
前記容器の側面に沿って配置され、前記蓄電池における上限液位と下限液位とを含む高さ範囲に位置付けられる光反射部と、
前記光反射部に設けられて前記蓄電池の上面に掛止する掛止部と、
を備えたことを特徴とする視認補助具。
【請求項２】
前記光反射部は、隣接配置された２つの前記蓄電池の各容器の側面間に配置されることを特徴とする請求項１に記載の視認補助具。
【発明の詳細な説明】
【技術分野】
【０００１】
本発明は、蓄電池液位の視認補助具に関する。
【背景技術】
【０００２】
電解液を容器に収容した蓄電池では、適切な量の電解液を収容するために容器を透明にして電解液の液面高さ（液位）を正面、及び側面の夫々から視認可能にすると共に、容器の表面に上限液位と下限液位とを表す指標を設けている（特許文献１）。
このような蓄電池は、例えば変電所等の電力施設が備える直流電源装置に使用されている。直流電源装置は、動力機器の動作時における電力不足を補うと共に、停電発生時の非常用電源として使用される電源装置であり、キャビネット内の収容空間に多数の蓄電池を縦横方向に隣接して収容している。
キャビネット内には棚板が取り付けられており、収容空間は高さ方向に沿って複数段の小空間に仕切られている。各小空間において各蓄電池は、キャビネットの横方向、及び奥行方向に夫々近接して並べられている。
【先行技術文献】
【特許文献】
【０００３】
【特許文献１】特開昭５７−５０７６５号公報（第１図）
【発明の概要】
【発明が解決しようとする課題】
【０００４】
各蓄電池の電解液は使用に伴って少しずつ減少することから液位のチェックが定期的に行われており、液位が下限液位よりも下降した蓄電池に対しては電解液を補充している。
キャビネットは収容空間を照らす照明を備えていないため、室内光が届かない空間奥部は暗所になっており液位の視認が難しい。このため、各蓄電池の液位をチェックする際に、空間奥部の暗所に配置された蓄電池に対しては、懐中電灯等の照明手段によって照明光を照射している。
しかしながら、照明光が照射された蓄電池は、容器背面が暗いことから照明光を照射しても電解液の全体が暗く見えてしまい、容器背面と渾然一体になって電解液の液位が視認し難い場合がある。
本発明は、このような事情に鑑みてなされたものであり、その目的は、暗所に配置した蓄電池の電解液に対して照明光を照射した際に、電解液の液位の視認性を向上させることにある。
【課題を解決するための手段】
【０００５】
上記課題を解決するために、本発明は、収容した電解液の液位を正面、及び側面から夫々視認可能な容器を備えた蓄電池が暗所に配置されているために前記液位を視認できない場合に、前記電解液に照明光を照射することにより前記液位を視認する際に用いる視認補助具であって、前記容器の側面に沿って配置され、前記蓄電池における上限液位と下限液位とを含む高さ範囲に位置付けられる光反射部と、前記光反射部に設けられて前記蓄電池の上面に掛止する掛止部と、を備えたことを特徴とする。
【発明の効果】
【０００６】
本発明によれば、暗所に配置した蓄電池の電解液に対して照明光を照射した際に、電解液の液位の視認性を向上させることができる。
【図面の簡単な説明】
【０００７】
【図１】（ａ）は視認補助具の正面図、（ｂ）は視認補助具の右側面図である。
【図２】（ａ）は蓄電池の正面図、（ｂ）は蓄電池の右側面図である。
【図３】（ａ）は隣接配置された２つの蓄電池の各容器の側面間に視認補助具の光反射部を配置した時の正面図、（ｂ）は（ａ）に示すＡ部の部分拡大斜視図である。
【図４】（ａ）は直流電源装置の正面図、（ｂ）は扉を開いた時の直流電源装置の正面図である。
【図５】（ａ）は収容された蓄電池に対する視認補助具の取り付け状態を説明する図、（ｂ）は複数の視認補助具を取り付けた時の直流電源装置の正面図である。
【発明を実施するための形態】
【０００８】
＜視認補助具１０について＞
以下、本発明の実施形態について、図面を参照して説明する。図１（ａ）は視認補助具１０の正面図、図１（ｂ）は視認補助具１０の右側面図である。
図１（ａ）（ｂ）に示すように、視認補助具１０は、正面から見て略Ｔ字形状であり、奥行方向に延びた部材である。
具体的に説明すると、視認補助具１０は、高さ方向と奥行方向とに延びた矩形薄板の光反射部１１と、光反射部１１の上端に設けられて横方向と奥行方向とに延びた矩形薄板の掛止部１２とを備えている。
この視認補助具１０は、光を反射し易い白色のプラスチックによって作製されている。例えば、視認補助具１０は、ポリプロピレンやポリエチレン等のエンジニアリングプラスチックであって少なくとも表面が白色のものによって作製されている。
【０００９】
視認補助具１０は、光反射部１１と掛止部１２とを個別に作製した後に両者を接着することによって作製してもよく、光反射部１１と掛止部１２とを一体に成型することによって作製してもよい。
図３を参照して後述するように、光反射部１１は、隣接配置された２つの蓄電池２０の各容器２１の対向する側面間に配置される部分であり、掛止部１２は、各蓄電池２０の上面（蓋部材２２の上面２２ａ）に掛止される部分である。
【００１０】
＜蓄電池２０について＞
図２（ａ）は視認補助具１０が取り付けられる蓄電池２０の正面図、図２（ｂ）は蓄電池２０の右側面図である。
図２（ａ）（ｂ）に示すように、蓄電池２０は、上面が開放された有底箱状（直方体形状）の透明樹脂によって作製された容器２１と、容器２１の上面に対して液密に取り付けられた肉厚板状の蓋部材２２と、容器２１に収容した電極板２３、及び電解液２４と、を備えている。
この蓄電池２０では、電解液２４の液面２４ａの高さである液位Ｈ２を容器正面、及び容器側面から夫々視認できる。電解液２４の量は、液位Ｈ２が電極板２３の上端よりも高く、蓋部材２２の下面よりも低くなる範囲内に定められている。このため、容器２１の正面上部には電解液２４の適正量を表す指標２５を形成している。この指標２５は、電解液２４の上限液位を表す上限指標２５ａと、上限指標２５ａよりも下方に形成されて電解液２４の下限液位を表す下限指標２５ｂと、を有する。本実施形態において、上限指標２５ａ、及び下限指標２５ｂの夫々は横方向の直線である。
蓋部材２２には、一対の電極２６（正極２６ａ、負極２６ｂ）と、電解液２４の注入穴２２ｂに対して着脱自在な栓部材２７と、充電に伴って生じた酸素ガス及び水素ガスを水に戻すときに使用する触媒を保持した触媒栓２８と、が取り付けられている。
【００１１】
＜視認補助具１０による液位Ｈ２の視認について＞
図３（ａ）は隣接配置された２つの蓄電池２０の各容器２１の側面間に視認補助具１０の光反射部１１を配置した時の正面図である。
図４で後述するように、各蓄電池２０は、暗所であるキャビネット４１内に収容されている。図３（ａ）に示すように、キャビネット４１内において各蓄電池２０は、指標２５が正面に位置する向きで横方向に隣接配置されており、隣接配置された２つの蓄電池２０の一方が備えた正極２６ａと他方が備えた負極２６ｂとを接続部材３１によって電気的に接続している。また、横方向の端部に位置する電極２６には、充放電を行うケーブル３２のコネクタ３３が装着されている。
【００１２】
図３（ｂ）は図３（ａ）に示すＡ部の部分拡大斜視図である。図３（ｂ）に示すように、光反射部１１は、隣接配置された２つの蓄電池２０の各容器２１の側面間（対向する２つの側壁２１ａの外表面同士の隙間）であって、手前側の端部に配置されている。また、掛止部１２における光反射部１１よりも左側の部分１２ａは左側の蓄電池２０が備えた蓋部材２２の上面２２ａに掛止し、光反射部１１よりも右側の部分１２ｂは右側の蓄電池２０が備えた蓋部材２２の上面２２ａに掛止している。
【００１３】
光反射部１１の高さＨ１（図１（ａ）を参照）は、掛止部１２が蓋部材２２の上面２２ａに係止した時に光反射部１１の下端１１ａが下限指標２５ｂよりも下方に位置する高さに定められている。従って、光反射部１１は、掛止部１２が蓋部材２２の上面２２ａに掛止した時に、蓄電池２０の上限液位と下限液位とを含む高さ範囲に跨がって位置付けられる。
暗所に配置された蓄電池２０の電解液２４の液位Ｈ２を視認できない場合、作業者は、懐中電灯等を用いて容器２１の正面から電解液２４に照明光を照射する。この時、容器２１の背面が暗いことから照明光を照射しても電解液２４の全体が暗くなってしまい、視認補助具１０を取り付けていない場合には容器２１の正面から電解液２４の液位Ｈ２を視認することは難しい。
【００１４】
本実施形態では、隣接配置された２つの蓄電池２０の各容器２１の側面間に視認補助具１０の光反射部１１を配置しているため、光反射部１１の表面１１ｂには透明な側壁２１ａを透過した照明光が照射され、表面１１ｂが明るく照らされる。そして、電解液２４の液面２４ａは、懐中電灯からの照明光に加えて、光反射部１１の表面１１ｂで反射した光（反射光）によっても照らされる。照明光と反射光とによって照らされた領域Ｘは、液面２４ａの他の領域と比較して明るくなる。また、液面２４ａよりも下方では、電解液２４による光の屈折により、反射部１１に照明光は届かない。このため、容器２１の正面における液面２４ａよりも下方の部分２４ｂは、領域Ｘと比較して暗く視認される。
このように、液面２４ａの領域Ｘが他の部分と比較して明るく照らされるため、暗所に配置した蓄電池２０の電解液２４に対して照明光を照射した際に、作業者は電解液２４の液位Ｈ２を領域Ｘによって容易に認識できる。その結果、液位Ｈ２の視認性を向上させることができる。
【００１５】
また、液面２４ａの側壁２１ａの内表面に接する部分は上方に向けて湾曲している。領域Ｘでは、曲面部分（メニスカス）２４ｂが領域Ｘの他の部分よりも明るく照らされる。従って、作業者は、メニスカス２４ｂに着目することにより、液位Ｈ２を一層容易に認識できる。
さらに、本実施形態では、隣接配置された２つの蓄電池２０の各容器２１の側面間に光反射部１１を配置しているため、１つの視認補助具１０によって２つの蓄電池２０について液位Ｈ２の視認性を向上させることができる。
【００１６】
＜直流電源装置４０について＞
次に、各蓄電池２０を収容する直流電源装置４０について説明する。図４（ａ）は直流電源装置４０の正面図、図４（ｂ）は扉４１ａを開いた時の直流電源装置４０の正面図である。
図４（ａ）（ｂ）に示す直流電源装置４０は多数の蓄電池２０を収容しており、遮断器などの動力機器の動作時における電力不足を補うために使用される。また、直流電源装置４０は、停電発生時における非常用電源として使用され、変電所の全機器の電力をまかなう。
直流電源装置４０は、多数の蓄電池２０を収容するキャビネット４１と、各蓄電池２０を充電するために交流を直流に変換する整流器４２と、を備えている。
【００１７】
キャビネット４１は、開閉自在な両開き扉４１ａを前面に備えた金属製の箱体であり、キャビネット４１内が蓄電池２０を収容するための収容空間になっている。
キャビネット４１内には３枚の棚板４１ｂを取り付けており、収容空間を高さ方向に沿った３つの小空間４１ｃに仕切っている。各小空間４１ｃには多数の蓄電池２０をキャビネット４１の幅方向、及び奥行方向に夫々並べている。そして、奥側の蓄電池２０を手前側の蓄電池２０よりも一段高い位置に配置することにより、奥側の蓄電池２０についても正面側から指標２５が見えるようにしている。
しかしながら、キャビネット４１は収容空間を照らす照明を備えていないため、室内光が届かない小空間４１ｃの奥部は暗所になっている。従って、小空間４１ｃの奥部に配置された蓄電池２０の液位Ｈ２は、室内光による視認は困難である。
【００１８】
図５（ａ）は収容された蓄電池２０に対する視認補助具１０の取り付け状態を説明する図、図５（ｂ）は複数の視認補助具１０を取り付けた時の直流電源装置４０の正面図である。
図５（ａ）に示すように、キャビネット４１内の収容空間に収容された各蓄電池２０に視認補助具１０を取り付ける時には、隣接配置された２つの蓄電池２０の各容器２１の側面間に光反射部１１を差し込み、掛止部１２を蓋部材２２の上面２２ａに掛止する。図３（ｂ）で説明したように、掛止部１２を蓋部材２２の上面２２ａに掛止すると、光反射部１１は蓄電池２０の上限液位と下限液位とを含む高さ範囲に跨がって位置付けられる。
【００１９】
図５（ｂ）に示すように、視認補助具１０は、各容器２１の側面間に取り付けられる。扉４１ａの開放状態において小空間４１ｃの奥部に配置された蓄電池２０の液位Ｈ２は、室内光のみで視認することが困難である。
そこで、定期巡回等において電解液２４の液位Ｈ２をチェックする時には、懐中電灯等を使用して小空間４１ｃの奥部に配置された蓄電池２０の正面から電解液２４に対して照明光を照射する。
図３（ｂ）で説明したように、光反射部１１に照明光が照射されることにより、液面２４ａの領域Ｘが他の部分と比較して明るく照らされる。
従って、本実施形態の視認補助具１０を用いることにより、小空間４１ｃの奥部（暗所）に配置した蓄電池２０の電解液２４に対して照明光を照射した際に、領域Ｘによって電解液２４の液位Ｈ２を容易に視認できる。
【００２０】
＜変形例について＞
上述の実施形態では、掛止部１２を光反射部１１の上端に設けた正面視Ｔ字形状の視認補助具１０を例示したが、この形状に限定されない。例えば、正面視十字形状の視認補助具であってもよい。十字形状の視認補助具によれば、十字の上部を指先でつまんで取り扱うことができるため、蓄電池２０への取り付け作業が容易に行える。また、視認補助具１０が備える掛止部１２の縁部を上方に立ち上げて指先でつまめるようにしてもよい。
上述の実施形態では、直流電源装置４０のキャビネット４１内に配置された蓄電池２０を例に挙げて説明したが、この蓄電池２０に限定されるものではない。暗所に配置された蓄電池であれば本発明を適用できる。
上述の実施形態では、視認補助具１０の光反射部１１を隣接配置された２つの蓄電池２０の各容器２１の側面間に配置したが、この構成に限定されない。視認補助具１０を１つの蓄電池２０の容器側面に配置してもよい。この場合において視認補助具１０は、例えばＬ字形状としてもよい。
上述の実施形態では、視認補助具１０を白色にしたが照明光を反射できれば白色以外であってもよい。例えば、黄色に着色してもよく、金属光沢面にしてもよい。
【００２１】
＜本発明の構成、作用、効果のまとめ＞
第１の本発明に係る視認補助具（視認補助具１０）は、収容した電解液（電解液２４）の液位（液位Ｈ２）を正面、及び側面から夫々視認可能な容器（容器２１）を備えた蓄電池（蓄電池２０）が暗所に配置されているために液位を視認できない場合に、電解液に照明光を照射することにより液位を視認する際に用いられるものであり、容器の側面に沿って配置され、蓄電池における上限液位と下限液位とを含む高さ範囲に位置付けられる光反射部（光反射部１１）と、光反射部に設けられて蓄電池の上面（蓋部材２２の上面２２ａ）に掛止する掛止部（掛止部１２）と、を備えたことを特徴とする。
当該視認補助具によれば、照明光と光反射部からの反射光とによって液面だけを明るく照らすことができるため、暗所に配置した蓄電池の電解液に対して照明光を照射した時に、電解液の液位の視認性を向上させることができる。
【００２２】
第２の本発明に係る視認補助具は、光反射部は、隣接配置された２つの蓄電池の各容器の側面間に配置されることを特徴とする。
当該視認補助具によれば、光反射部は、隣接配置された２つの蓄電池の各容器の側面間に配置されているので、１つの視認補助具によって２つの蓄電池の夫々に対して電解液の液位の視認性を向上させることができる。
【符号の説明】
【００２３】
１０…視認補助具，１１…光反射部，１２…掛止部，２０…蓄電池，２１…容器，２２…蓋部材，２２ａ…蓋部材の上面，２４…電解液，２５…指標，２５ａ…上限指標，２５ｂ…下限指標，４０…直流電源装置，４１…キャビネット，４１ａ…扉，４１ｂ…棚板，４１ｃ…小空間，Ｈ１…光反射部の高さ，Ｈ２…液位
【図１】
2020080206.tif 000003
【図２】
2020080206.tif 000004
【図３】
2020080206.tif 000005
【図４】
2020080206.tif 000006
【図５】
2020080206.tif 000007